(57)【要約】【課題】日射負荷の計算負担の軽減を図る。【解決手段】建造物モデル５１の外皮の日射負荷を計算する熱負荷計算装置１０は、建造物モデル５１の外皮を複数の第１メッシュ５２に分割する外皮分割部３２と、第１メッシュ５２の法線の方位角及び仰角又は俯角を算出する法線ベクトル算出部３３と、第１メッシュ５２の法線の方位角及び仰角又は俯角が取り得る値の範囲と、建造物モデル５１を中心とした天球６１が第１メッシュ５２よりも少なく分割されることによって得られる複数の第２メッシュ６２の法線の方位角及び仰角又は俯角が取り得る値との対応関係を記述した対応付けテーブル２３を参照して、法線ベクトル算出部３３によって算出された第１メッシュ５２の法線の方位角及び仰角又は俯角を第２メッシュ６２の法線の方位角及び仰角又は俯角に対応付けるメッシュ対応付け部３４と、を備える。【選択図】図１
2019200684.tif 000002
【特許請求の範囲】
【請求項１】
建造物モデルの外皮の日射負荷を計算する熱負荷計算装置において、
前記建造物モデルの外皮を複数の第１メッシュに分割する分割手段と、
前記第１メッシュの法線の方位角及び仰角又は俯角を算出する法線ベクトル算出手段と、
前記第１メッシュの法線の方位角及び仰角又は俯角が取り得る値の範囲と、前記建造物モデルを中心とした天球が前記第１メッシュよりも少なく分割されることによって得られる複数の第２メッシュの法線の方位角及び仰角又は俯角が取り得る値との対応関係を記述した対応付けテーブルを参照して、前記法線ベクトル算出手段によって算出された前記第１メッシュの法線の方位角及び仰角又は俯角を前記第２メッシュの法線の方位角及び仰角又は俯角に対応付ける対応付け手段と、
前記第２メッシュの法線の方位角及び仰角又は俯角が取り得る値と、前記第２メッシュの単位面積当たりの日射量が取り得る値との対応関係を記述した参照テーブルを参照して、前記対応付け手段によって対応付けられた前記第２メッシュの法線の方位角及び仰角又は俯角に対応する日射量を取得して、取得した日射量を前記建造物モデルの前記第１メッシュの単位面積当たりの日射量として決定する日射量取得手段と、
前記日射量取得手段により取得した日射量に基づいて、前記建造物モデルの前記第１メッシュを通じた日射負荷を算出する日射負荷算出手段と、を備える熱負荷計算装置。
【請求項２】
前記第１メッシュの法線の方位角及び仰角又は俯角が前記対応付けテーブルにおける前記範囲に含まれる場合、前記第１メッシュの法線の延長線は、その範囲に前記対応付けテーブルにおいて対応付けられた値で法線の方位角及び仰角又は俯角が表された前記第２メッシュに交差する請求項１に記載の熱負荷計算装置。
【請求項３】
建造物モデルの外皮の日射負荷をコンピュータにより計算する熱負荷計算方法において、
前記建造物モデルの外皮を複数の第１メッシュに分割する分割工程と、
前記第１メッシュの法線の方位角及び仰角又は俯角を算出する法線ベクトル算出工程と、
前記第１メッシュの法線の方位角及び仰角又は俯角が取り得る値の範囲と、前記建造物モデルを中心とした天球が前記第１メッシュよりも少なく分割されることによって得られる複数の第２メッシュの法線の方位角及び仰角又は俯角が取り得る値との対応関係を記述した対応付けテーブルを参照して、前記法線ベクトル算出工程によって算出された前記第１メッシュの法線の方位角及び仰角又は俯角を前記第２メッシュの法線の方位角及び仰角又は俯角に対応付ける対応付け工程と、
前記第２メッシュの法線の方位角及び仰角又は俯角が取り得る値と、前記第２メッシュの単位面積当たりの日射量が取り得る値との対応関係を記述した参照テーブルを参照して、前記対応付け工程によって対応付けられた前記第２メッシュの法線の方位角及び仰角又は俯角に対応する日射量を取得して、取得した日射量を前記建造物モデルの前記第１メッシュの単位面積当たりの日射量として決定する日射量取得工程と、
前記日射量取得工程により取得した日射量に基づいて、前記建造物モデルの前記第１メッシュを通じた日射負荷を算出する日射負荷算出工程と、を備える熱負荷計算方法。
【発明の詳細な説明】
【技術分野】
【０００１】
本発明は、熱負荷計算装置及び熱負荷計算方法に関する。
【背景技術】
【０００２】
従来、建造物に付与される貫流負荷、日射負荷、照明負荷等の熱負荷を様々なパラメータに基づいて計算し、その計算結果から適切な空調能力の空調設備を選定することが行われている。そのような熱負荷を計算する計算装置は種々開発されている（例えば、特許文献１参照）。
【先行技術文献】
【特許文献】
【０００３】
【特許文献１】特開２０１７−１０１８８０号公報
【発明の概要】
【発明が解決しようとする課題】
【０００４】
ところで、近年、建設技術の向上により、外皮の形状が複雑な建造物が設計・建設されるようになってきている。外皮とは、外気に接する表面をいい、例えば外皮は外壁、屋根及び窓等から構成される。外皮の形状が複雑であると、外皮上の位置ごとに法線の方位角及び仰角又は俯角が異なるので、単位面積当たりの日射量が異なる。外皮上の位置ごとに日射負荷を計算していたのでは、計算負担が大きい。
【０００５】
そこで、本発明は、上記事情に鑑みてなされたものであって、日射負荷の計算負担の軽減を図ることを目的とする。
【課題を解決するための手段】
【０００６】
以上の課題を解決するために、建造物モデルの外皮の日射負荷を計算する熱負荷計算装置は、前記建造物モデルの外皮を複数の第１メッシュに分割する分割手段と、前記第１メッシュの法線の方位角及び仰角又は俯角を算出する法線ベクトル算出手段と、前記第１メッシュの法線の方位角及び仰角又は俯角が取り得る値の範囲と、前記建造物モデルを中心とした天球が前記第１メッシュよりも少なく分割されることによって得られる複数の第２メッシュの法線の方位角及び仰角又は俯角が取り得る値との対応関係を記述した対応付けテーブルを参照して、前記法線ベクトル算出手段によって算出された前記第１メッシュの法線の方位角及び仰角又は俯角を前記第２メッシュの法線の方位角及び仰角又は俯角に対応付ける対応付け手段と、前記第２メッシュの法線の方位角及び仰角又は俯角が取り得る値と、前記第２メッシュの単位面積当たりの日射量が取り得る値との対応関係を記述した参照テーブルを参照して、前記対応付け手段によって対応付けられた前記第２メッシュの法線の方位角及び仰角又は俯角に対応する日射量を取得して、取得した日射量を前記建造物モデルの前記第１メッシュの単位面積当たりの日射量として決定する日射量取得手段と、前記日射量取得手段により取得した日射量に基づいて、前記建造物モデルの前記第１メッシュを通じた日射負荷を算出する日射負荷算出手段と、を備える。
【０００７】
建造物モデルの外皮の日射負荷をコンピュータにより計算する熱負荷計算方法は、前記建造物モデルの外皮を複数の第１メッシュに分割する分割工程と、前記第１メッシュの法線の方位角及び仰角又は俯角を算出する法線ベクトル算出工程と、前記第１メッシュの法線の方位角及び仰角又は俯角が取り得る値の範囲と、前記建造物モデルを中心とした天球が前記第１メッシュよりも少なく分割されることによって得られる複数の第２メッシュの法線の方位角及び仰角又は俯角が取り得る値との対応関係を記述した対応付けテーブルを参照して、前記法線ベクトル算出工程によって算出された前記第１メッシュの法線の方位角及び仰角又は俯角を前記第２メッシュの法線の方位角及び仰角又は俯角に対応付ける対応付け工程と、前記第２メッシュの法線の方位角及び仰角又は俯角が取り得る値と、前記第２メッシュの単位面積当たりの日射量が取り得る値との対応関係を記述した参照テーブルを参照して、前記対応付け工程によって対応付けられた前記第２メッシュの法線の方位角及び仰角又は俯角に対応する日射量を取得して、取得した日射量を前記建造物モデルの前記第１メッシュの単位面積当たりの日射量として決定する日射量取得工程と、前記日射量取得工程により取得した日射量に基づいて、前記建造物モデルの前記第１メッシュを通じた日射負荷を算出する日射負荷算出工程と、を備える。
【０００８】
以上によれば、対応付けテーブルの参照によって、建造物モデルの第１メッシュの法線の方位角及び仰角又は俯角が天球の第２メッシュの法線の方位角及び仰角又は俯角に対応付けられる。天球の第２メッシュの法線の方位角及び仰角又は俯角が取り得る値は、建造物モデルの第１メッシュの法線の方位角及び仰角又は俯角が取り得る値よりも少ない。よって、熱負荷計算装置による日射負荷の計算負担が軽減される。
また、日射量が参照テーブルに格納されており、建造物モデルの第１メッシュの法線の方位角及び仰角又は俯角が算出された上で、対応付けテーブル及び参照テーブルの参照によって日射量が参照テーブルから取得される。よって、熱負荷計算装置による日射負荷の計算負担が軽減される。
【０００９】
前記第１メッシュの法線の方位角及び仰角又は俯角が前記対応付けテーブルにおける範囲に含まれる場合、前記第１メッシュの法線の延長線は、その範囲に前記対応付けテーブルにおいて対応付けられた値で法線の方位角及び仰角又は俯角が表された前記第２メッシュに交差する。
【発明の効果】
【００１０】
本発明の実施形態によれば、熱負荷計算装置による日射負荷の計算負担が軽減される。
【図面の簡単な説明】
【００１１】
【図１】熱負荷計算装置のブロック図である。
【図２】建造物モデル及び天球を示した図面である。
【図３】半天球を平面に投影して示す投影図である。
【図４】建造物モデルのメッシュの法線の方位角及び仰角又は俯角が取り得る値の範囲と、天球のメッシュの法線の方位角及び仰角又は俯角が取り得る値との対応関係を記述した対応付けテーブルである。
【図５】対応付けテーブルにおける建造物モデルのメッシュと天球のメッシュとの関係を説明するための図である。
【図６】天球のメッシュの法線の方位角の説明図である。
【図７】天球のメッシュの法線の仰角の説明図である。
【図８】天球のメッシュの法線の方位角及び仰角又は俯角が取り得る値と、天球のメッシュの単位面積当たりの日射量が取り得る値との対応関係を記述した参照テーブルである。
【発明を実施するための形態】
【００１２】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１３】
１．熱負荷計算装置の構成
図１は、本発明の一実施形態である熱負荷計算装置１０のブロック図である。
熱負荷計算装置１０は、コンピュータ１１、表示デバイス１２、入力デバイス１３及び記憶部１４を備える。
【００１４】
コンピュータ１１は、ＣＰＵ、ＲＯＭ、ＲＡＭ、グラフィックコントローラ、システムバス及びハードウェアインタフェース等を有する。
表示デバイス１２は、例えば液晶ディスプレイデバイス、有機ＥＬディスプレイデバイス又はプロジェクタである。コンピュータ１１が演算処理によって映像信号を生成し、その映像信号を表示デバイス１２に出力する。そうすると、映像信号に従った画面が表示デバイス１２によって表示される。表示デバイス１２とコンピュータ１１が一体化されていてもよいし、別体であってもよい。
入力デバイス１３は、例えばスイッチ、キーボード若しくはポインティングデバイス又はこれらの組み合わせである。入力デバイス１３は、表示デバイス１２の表面に設けられたタッチパネルであってもよい。入力デバイス１３は、操作されると操作内容に応じた信号をコンピュータ１１に出力する。
【００１５】
記憶部１４は、半導体メモリ又はハードディスクドライブ等からなる記憶装置である。記憶部１４は、コンピュータ１１に内蔵されたものでもよいし、コンピュータ１１に外付けされたものでもよい。
【００１６】
記憶部１４には、ＢＩＭ（building information modeling）又はＣＡＤ（computer-aided design）を実現する設計用ソフトウェアによって作成された建造物モデルデータ２１が記憶されている。建造物モデルデータ２１は、建造物をモデリングするために建造物の三次元形状を定義する。建造物モデルデータ２１に従ってモデリングされた建造物モデルは、サーフェスモデル、ソリッドモデル、ワイヤフレームモデル若しくはポリゴンモデル又はこれらの組み合わせである。
【００１７】
図２には、建造物モデルデータ２１に従ってモデリングされた建造物モデル５１の一例が天球６１とともに示されている。図３には、天球６１の半体が平面に投影されて示されている。建造物モデルデータ２１の位置情報は、緯度、経度及び高度によって表現されるか、又は地心直交座標系によって表現される。建造物モデル５１の外側には、建造物モデル５１の外皮の熱負荷、特に日射負荷の計算に利用される天球６１が設定される。
【００１８】
記憶部１４には、対応付けテーブル２３及び参照テーブル２４が格納されている。対応付けテーブル２３及び参照テーブル２４については、後に詳細に説明する。
【００１９】
記憶部１４には、コンピュータ１１にとって実行可能な計算プログラム２２が格納されている。コンピュータ１１が計算プログラム２２を実行すると、コンピュータ１１が以下のような各種の機能部３１〜３６として機能する。
【００２０】
モデルデータ読込部３１は、記憶部１４から建造物モデルデータ２１を読み込む。
【００２１】
外皮分割部３２は、建造物モデル５１の外皮を複数の第１メッシュ５２に分割する。第１メッシュ５２とは、頂点及びそれら頂点を結ぶ辺を有した平面的な小領域のことをいう。建造物モデル５１の外皮の形状は第１メッシュ５２によって表現される。第１メッシュ５２の集合体が建造物モデル５１の外皮となる。分割された第１メッシュ５２は非常に多く且つ微小であるので、建造物モデル５１の外皮が複雑且つきめ細やかに表現される。
【００２２】
外皮分割部３２は、建造物モデル５１の外皮を分割する際に、各第１メッシュ５２の頂点の位置を算出する。頂点の位置は、緯度、経度及び高度によって表現されるか、又は地心直交座標系によって表現される。
【００２３】
法線ベクトル算出部３３は、各第１メッシュ５２の頂点の位置から、各第１メッシュ５２の法線ベクトル、特に単位法線ベクトルを算出する。法線ベクトルは、第１メッシュ５２の法線の方位角及び仰角又は俯角によって表現される。各第１メッシュ５２の法線の方位角及び仰角又は俯角は離散的なパラメータであるものの、各第１メッシュ５２の法線の方位角及び仰角又は俯角の取り得る値が非常に多いので、方位角及び仰角又は俯角はほぼ無段階的且つ連続的なパラメータ、つまりほぼアナログ的なパラメータといえる。但し、各第１メッシュ５２の法線の方位角及び仰角又は俯角は、コンピュータ１１によって計算されるため、完全にアナログ的なパラメータでないのは勿論である。なお、本実施形態では、方位角は南を基準とするとともに反時計回りを正の向きとしたが、方位角の基準方位は東西南北の何れであってもよいし、方位角の正の向きは反時計回りと時計回りのどちらでもよい。また、仰角又は俯角は水平面に垂直な垂線を基準とするが、仰角又は俯角の基準は水平面であってもよい。
【００２４】
メッシュ対応付け部３４は、対応付けテーブル２３を参照して、対応付けテーブル２３に従って建造物モデル５１の各第１メッシュ５２の法線の方位角及び仰角又は俯角を天球６１の第２メッシュ６２の法線の方位角及び仰角又は俯角に対応付ける。
【００２５】
天球６１の中心は、建造物モデル５１の位置に設定されている。天球６１は複数の第２メッシュ６２に分割されている。天球６１はこれらの第２メッシュ６２によって表現され、これら第２メッシュ６２の集合体が天球６１となる。建造物モデル５１の第１メッシュ５２と同様に、天球６１の第２メッシュ６２も、頂点及びそれら頂点を結ぶ辺を有した平面的な小領域である。天球６１の第２メッシュ６２は建造物モデル５１の第１メッシュ５２よりも少ない。なお、図３において、第２メッシュ６２内に記載された数字は、各第２メッシュ６２ごとに固有の識別番号である。
【００２６】
図４は、対応付けテーブル２３の一例を示す図である。この対応付けテーブル２３は、建造物モデル５１の各第１メッシュ５２の法線の方位角及び仰角又は俯角が取り得る値の範囲と、天球６１の各第２メッシュ６２の法線の方位角及び仰角又は俯角が取り得る値との対応関係を記述したデータテーブルである。ここで、天球６１の各第２メッシュ６２の法線の方位角及び仰角又は俯角は離散的なパラメータであり、建造物モデル５１の各第１メッシュ５２の法線の方位角及び仰角又は俯角も離散的なパラメータである。ところが、天球６１の第２メッシュ６２が建造物モデル５１の第1メッシュ５２よりも少ないため、天球６１の各第２メッシュ６２の法線の方位角及び仰角又は俯角が取り得る値は、建造物モデル５１の各第１メッシュ５２の法線の方位角及び仰角又は俯角が取り得る値よりも少ない。それゆえ、対応付けテーブル２３では、天球６１の各第２メッシュ６２の法線の方位角及び仰角又は俯角が取り得る値に対して、建造物モデル５１の各第１メッシュ５２の法線の方位角及び仰角又は俯角が取り得る値の範囲が対応付けられている。
【００２７】
対応付けテーブル２３が記述する対応関係は、以下のように決定される。すなわち、建造物モデル５１の第１メッシュ５２の法線の方位角及び仰角又は俯角が対応付けテーブル２３の最左列及び左から２番目の列の範囲に含まれる場合、図５〜図７に示すようにその第１メッシュ５２の法線５３の延長線は、その範囲に対応付けられた右から２番目の列及び最右列の値で法線６３の方位角及び仰角又は俯角が表された天球６１の第２メッシュ６２に交差することになる。
【００２８】
日射量取得部３５は、参照テーブル２４を参照して、建造物モデル５１の各第１メッシュ５２の法線の方位角及び仰角又は俯角に対応付けられた第２メッシュ６２の法線の方位角及び仰角又は俯角に基づいて、第２メッシュ６２の法線の方位角及び仰角又は俯角に対応付けられた日射量を第１メッシュ５２の日射量として取得する。
【００２９】
図８は、参照テーブル２４の一例を示す図である。図８に示すように、緯度別、経度別且つ一年間の日時別に参照テーブル２４が準備されている。緯度、経度及び日時が特定されると、それらに対応する参照テーブル２４が指定される。
【００３０】
参照テーブル２４は、天球６１の各第２メッシュ６２の法線の方位角及び仰角又は俯角が取り得る値と、各第２メッシュ６２の単位面積当たりの日射量が取り得る値との対応関係を記述したデータテーブルである。各第２メッシュ６２の単位面積当たりの日射量は離散的なパラメータである。参照テーブル２４では、天球６１の各第２メッシュ６２の法線の方位角及び仰角又は俯角の取り得る値と、各第２メッシュ６２の単位面積当たりの日射量の取り得る値とは、１対１で対応付けられている。
【００３１】
参照テーブル２４が記述する対応関係について、以下に説明する。すなわち、天球６１の第２メッシュ６２の法線の方位角及び仰角又は俯角が参照テーブル２４の最左列及び左から２番目の列の値である場合、その第２メッシュ６２の日射量、特に斜面日射量がそれらの値に対応付けられた最右列の値となる。
【００３２】
日射負荷算出部３６は、取得した単位面積当たりの日射量に基づいて、日射負荷を算出する。
【００３３】
２．コンピュータが実行する処理の流れ
続いて、コンピュータ１１が計算プログラム２２に従って行う処理の流れについて説明する。
【００３４】
（１）建造物モデルデータの読み込み
まず、モデルデータ読込部３１が、記憶部１４から建造物モデルデータ２１を読み込んで、ＲＡＭに展開する。
【００３５】
（２）外皮分割
次に、外皮分割部３２が、モデルデータ読込部３１によって読み込まれた建造物モデルデータ２１に従った建造物モデル５１の外皮を複数の第１メッシュ５２に分割するとともに、各第１メッシュ５２の頂点の位置を算出する。
【００３６】
（３）法線ベクトル算出
次に、法線ベクトル算出部３３が、外皮分割部３２によって算出された各第１メッシュ５２の頂点の位置に基づいて、各第１メッシュ５２の法線ベクトルを算出する。つまり、法線ベクトル算出部３３は、各第１メッシュ５２の法線の方位角及び仰角又は俯角を算出する。
【００３７】
（４）対応付け
次に、メッシュ対応付け部３４が、対応付けテーブル２３を参照して、法線ベクトル算出部３３によって算出された各第１メッシュ５２の法線の方位角及び仰角又は俯角を天球６１の第２メッシュ６２の法線の方位角及び仰角又は俯角に対応付ける。つまり、メッシュ対応付け部３４は、法線ベクトル算出部３３によって算出された第１メッシュ５２の法線の方位角及び仰角又は俯角が最左列及び左から２番目の列の範囲に含まれる場合、それらの範囲に対応付けられた右から２番目の列及び最右列の値となる方位角及び仰角又は俯角に第１メッシュ５２の法線の方位角及び仰角又は俯角を対応付ける。
【００３８】
（５）日射量取得
次に、日射量取得部３５が、参照テーブル２４を参照して、対応付けテーブル２３に従って各第１メッシュ５２の法線の方位角及び仰角又は俯角に対応付けられた第２メッシュ６２の法線の方位角及び仰角又は俯角に基づいて、第２メッシュ６２の法線の方位角及び仰角又は俯角に対応付けられた日射量を取得する。そして、日射量取得部３５は、取得した日射量を、各第１メッシュ５２の単位面積当たりの日射量として決定する。
【００３９】
なお、日射量取得部３５が、建造物モデル５１の緯度及び経度に該当する各参照テーブル２４を参照することによって、日時別に各第１メッシュ５２の単位面積当たりの日射量を取得する。
【００４０】
（６）日射負荷の算出
次に、日射負荷算出部３６が、日射量取得部３５によって決定された各第１メッシュ５２の単位面積当たりの日射量に各種の係数を乗ずることによって、各第１メッシュ５２を通じた日射負荷を算出する。具体的には、日射負荷算出部３６が、４つの成分（つまり、直達成分、直達成分の地物反射成分、天空成分、天空成分の地物反射成分）を求めた上で、これら４つの成分を総和して、その総和に遮蔽係数を乗じて日射負荷を算出する。ここで、直達成分は、窓面日射量直達成分に窓面日照面積率及び日射角特性に応じた熱取得率を乗ずることによって求められる。直達成分の地物反射成分は、窓面日射量直達成分に地物反射率、窓の地物に対する形態係数及び天空日射の熱所得率を乗ずることによって求められる。天空成分は、窓面日射量天空成分に窓の天空に対する形態係数及び天空日射の熱取得率を乗ずることによって求められる。天空成分の地物反射成分は、窓面日射天空成分に地物反射率、窓の地物に対する形態係数及び天空日射の熱所得率を乗ずることによって求められる。これら４つの成分の総和は、日射熱取得という。  
【００４１】
３．有利な効果
（１）  対応付けテーブル２３の参照によって、建造物モデル５１の各第１メッシュ５２の法線の方位角及び仰角又は俯角が天球６１の各第２メッシュ６２の法線の方位角及び仰角又は俯角に対応付けられる。これにより、建造物モデル５１の各第１メッシュ５２の法線の方位角及び仰角又は俯角が天球６１の各第２メッシュ６２の法線の方位角及び仰角又は俯角に置き換わって、コンピュータ１１により計算が行われる。ここで、天球６１の各第２メッシュ６２の法線の方位角及び仰角又は俯角が取り得る値は、建造物モデル５１の各第１メッシュ５２の法線の方位角及び仰角又は俯角が取り得る値よりも少ない。よって、コンピュータ１１による計算負担が軽減される。
【００４２】
（２）  建造物モデル５１の各第１メッシュ５２の法線の方位角及び仰角又は俯角から日射量を計算する処理は、大きな負担が掛かる。ところが、日射量は予め計算されており、記憶部１４の参照テーブル２４に予め格納されている。そして、コンピュータ１１が、建造物モデル５１の各第１メッシュ５２の法線の方位角及び仰角又は俯角を計算した上で、対応付けテーブル２３及び参照テーブル２４を参照して、参照テーブル２４から日射量を取得する。よって、コンピュータ１１の計算負担が軽減される。
【００４３】
（３）  参照テーブル２４では、天球６１の各第２メッシュ６２の法線の方位角及び仰角又は俯角が取り得る値ごとに日射量が対応付けられている。そして、天球６１の各第２メッシュ６２の法線の方位角及び仰角又は俯角が取り得る値は、建造物モデル５１の各第１メッシュ５２の法線の方位角及び仰角又は俯角が取り得る値よりも少ない。従って、参照テーブル２４のデータ量が小さい上、参照テーブル２４を参照して日射量を取得する処理の負担が軽減される。
【符号の説明】
【００４４】
１０…熱負荷計算装置
１１…コンピュータ
２１…建造物モデルデータ
２２…計算プログラム
２３…対応付けテーブル
２４…参照テーブル
３１…モデルデータ読込部
３２…外皮分割部
３３…法線ベクトル算出部
３４…メッシュ対応付け部
３５…日射量取得部
３６…日射負荷算出部
５１…建造物モデル
５２…第１メッシュ
６１…天球
６２…第２メッシュ
【図１】
2019200684.tif 000003
【図２】
2019200684.tif 000004
【図３】
2019200684.tif 000005
【図４】
2019200684.tif 000006
【図５】
2019200684.tif 000007
【図６】
2019200684.tif 000008
【図７】
2019200684.tif 000009
【図８】
2019200684.tif 000010